(57)【要約】 【課題】次亜塩素酸の失活を抑制した次亜塩素酸水含浸物を得る。【解決手段】３．０以上７．０以下のｐＨ値、１ｍｇ／ｋｇ以上の次亜塩素酸濃度、及び１〜１０００ｍｇ／ｋｇのナトリウムイオン濃度を有する次亜塩素酸水と、次亜塩素酸水が含浸された不織布とを含む次亜塩素酸水含浸物。【選択図】図１
2017119922.tif 000002
【特許請求の範囲】
【請求項１】
３．０以上７．０以下のｐＨ値、１ｍｇ／ｋｇ以上の次亜塩素酸濃度、及び１〜１０００ｍｇ／ｋｇのナトリウムイオン濃度を有する次亜塩素酸水と、該次亜塩素酸水が含浸された不織布とを含む次亜塩素酸水含浸物。
【請求項２】
前記ｐＨ値が３．０以上４．０未満のとき、前記ナトリウムイオン濃度が１ｍｇ／ｋｇ以上３０ｍｇ／ｋｇ以下、
前記ｐＨ値が４．０以上５．０未満のとき、前記ナトリウムイオン濃度が１ｍｇ／ｋｇ以上３００ｍｇ／ｋｇ以下、かつ
前記ｐＨ値が５．０以上７．０以下のとき、前記ナトリウムイオン濃度が１ｍｇ／ｋｇ以上１０００ｍｇ／ｋｇ以下である請求項１に記載の次亜塩素酸水含浸物。
【請求項３】
前記ｐＨ値が４．０以上５．０未満のとき、前記ナトリウムイオン濃度が１ｍｇ／ｋｇ以上３０ｍｇ／ｋｇ以下、
前記ｐＨ値が５．０以上６．０未満のとき、前記ナトリウムイオン濃度が１ｍｇ／ｋｇ以上５００ｍｇ／ｋｇ以下、かつ
前記ｐＨ値が６．０以上７．０以下のとき、前記ナトリウムイオン濃度が１ｍｇ／ｋｇ以上１０００ｍｇ／ｋｇ以下である請求項１または２に記載の次亜塩素酸水含浸物。
【請求項４】
前記ｐＨ値が５．０以上６．０未満のとき、前記ナトリウムイオン濃度が１ｍｇ／ｋｇ以上３０ｍｇ／ｋｇ以下、かつ
前記ｐＨ値が６．０以上７．０以下のとき、前記ナトリウムイオン濃度が１ｍｇ／ｋｇ以上１０００ｍｇ／ｋｇ以下である請求項１ないし３のいずれか１項に記載の次亜塩素酸水含浸物。
【請求項５】
前記不織布は、ポリエステル繊維、ポリエチレン繊維、アクリル繊維、ナイロン繊維、またはそのうち２以上の異なる繊維から構成されている請求項１ないし４のいずれか１項に記載の次亜塩素酸水含浸物。
【請求項６】
前記次亜塩素酸水は、電解水である請求項１ないし５のいずれか１項に記載の次亜塩素酸水含浸物。
【請求項７】
前記次亜塩素酸水は、純水を用いて生成された電解水である請求項６に記載の次亜塩素酸水含浸物。
【発明の詳細な説明】
【技術分野】
【０００１】
本発明の実施形態は、次亜塩素酸水含浸物に関する。
【背景技術】
【０００２】
水を電解して様々な機能を有した電解水として、アルカリイオン水、オゾン水、及び次亜塩素酸水などがある。このうち次亜塩素酸水は、優れた殺菌力を有するとともに、人体に安全で食品添加物としても認可されている。
【０００３】
このような電解水を生成する装置としては、例えば、１隔膜２室型電解槽や、２隔膜３室型電解槽を有する装置がある。１隔膜２室型電解槽では、陽極を収納した陽極室と陰極を収納した陰極室を特定イオンだけ通過させる隔膜で隔てて対向させた電解槽に電解質としてたとえば塩化ナトリウム水溶液を流水させ、陽極室で酸性水を、陰極室でアルカリ性水を生成する。酸性水としては次亜塩素酸と塩酸の混合したもの、アルカリ性水としては水酸化ナトリウム水や溶存水素を含んだ水などが得られる。一方、２隔膜３室型電解槽では、生成された酸性水およびアルカリ性水に塩化ナトリウムが混入するのを防ぐため、陽極室と陰極室の間に塩化ナトリウム水溶液などの電解質液を満たした中間室を配置し、中間室と陽極室の間を陰イオン交換隔膜、中間室と陰極室の間を陽イオン交換隔膜で隔て、塩化ナトリウム水溶液から電解に必要な陰イオンあるいは陽イオンだけを陽極室あるいは陰極室に通過させる構造としている。
【０００４】
陽極室で生成された次亜塩素酸水は殺菌消毒水として活用されている。一方、陰極室では陰イオン交換膜を透過したナトリウムイオンにより水酸化ナトリウムが生成されアルカリ性になる。
【０００５】
この次亜塩素酸水を不織布等に含浸することにより、例えばウエットワイパー等として使用することが可能である。しかしながら、次亜塩素酸は失活しやすく、殺菌消毒水としての効果が低下する傾向があるので、失活をなるべく抑制することが望まれる。また、塩化ナトリウム濃度が高いと、使用後に結晶として残るので、塩化ナトリウム濃度はなるべく低いことが望まれる。
【先行技術文献】
【特許文献】
【０００６】
【特許文献１】特開平１１−３３２７７９号公報
【特許文献２】実用新案登録第３０４３１５３号公報
【特許文献３】特開２０００−７０１７１号公報
【特許文献４】特開２００６−１８２４３１号公報
【特許文献５】特開２００６−２０４８９２号公報
【発明の概要】
【発明が解決しようとする課題】
【０００７】
本発明の実施形態は、次亜塩素酸の失活を抑制した次亜塩素酸水含浸物を得ることを目的とする。
【課題を解決するための手段】
【０００８】
実施形態によれば、３．０以上７．０以下のｐＨ値、１ｍｇ／ｋｇ以上の次亜塩素酸濃度、及び１〜１０００ｍｇ／ｋｇのナトリウムイオン濃度を有する次亜塩素酸水と、該次亜塩素酸水が含浸された不織布とを含む次亜塩素酸水含浸物が提供される。
【図面の簡単な説明】
【０００９】
【図１】実施形態に使用する電解水を生成可能な電解水生成装置の構成を表す概略図である。
【図２】次亜塩素酸失活試験におけるナトリウム濃度と有効塩素濃度維持率との関係を表すグラフ図である。
【図３】次亜塩素酸水のｐＨと次亜塩素酸の存在比率と有効塩素残存率との関係を表すグラフ図である。
【図４】次亜塩素酸の失活抑制効果とｐＨとナトリウムイオン濃度との関係を表すグラフ図である。
【発明を実施するための形態】
【００１０】
実施形態にかかる次亜塩素酸水含浸物は、次亜塩素酸水と、次亜塩素酸水が含浸された不織布とを含み、次亜塩素酸水は、３．０以上７．０以下のｐＨ値、１ｍｇ／ｋｇ以上の次亜塩素酸濃度、及び１〜１０００ｍｇ／ｋｇのナトリウムイオン濃度を有する。
【００１１】
実施形態によれば、上記次亜塩素酸水を不織布に適用することにより、次亜塩素酸の失活を抑制した次亜塩素酸水含浸物を得ることが可能となる。
【００１２】
実施形態に用いられる不織布は、ポリエステル繊維、ポリエチレン繊維、アクリル繊維、ナイロン繊維、またはそのうち２以上の異なる繊維から構成することができる。
【００１３】
次亜塩素酸水としては、例えば電解水を使用することができる。
【００１４】
電解水は、例えば図１に示す装置を用いて生成することができる。
【００１５】
また、実施形態において、次亜塩素酸水の失活抑制の範囲を定義するに当たり、塩化ナトリウムを次亜塩素酸水に添加することによりナトリウムイオン濃度を規定した。実際、次亜塩素酸の失活に関わるＣｌ２／ＨＣｌＯの存在比率は、塩化ナトリウム由来のナトリウムイオンではなく、塩素イオンの量に影響され、酸性領域において、塩素イオン増加により、失活が促進する。すなわち、塩素イオンの量によって次亜塩素酸水の失活抑制の範囲は定義される。しかし、次亜塩素酸水中の塩素イオン濃度は、揮発などの要因から安定した測定は困難である。
【００１６】
そこで、実施形態では、水中でナトリウムイオン：塩化物イオン＝１：１で電離する塩化ナトリウムを用いてナトリウムイオン濃度を測定することで、間接的に塩素イオン増加による失活を測定し、次亜塩素酸水の失活抑制の範囲を定義した。
【００１７】
図１に、実施形態に使用する電解水を生成可能な電解水生成装置の構成を表す概略図を示す。
【００１８】
図示するように、この電解水生成装置５０は、飽和食塩水を循環させた中間室５１と、その左右にイオン交換膜５２，５３を介して、各々、陽極電極５６を備えた陽極室５４、及び陰極電極５７を備えた陰極室５５を配置した三室型の電解槽５８を有する。
【００１９】
陽極電極５６及び陰極電極５７には各々電圧が印加されている。
【００２０】
中間室５１は、飽和食塩水貯留器６１及び塩水循環ポンプ６２を備えた飽和食塩水循環システム６３と接続され、常に飽和食塩水６５が供給される。
【００２１】
陽極室５４及び陰極室５５は、給水システム６４と接続され、各々、常に新しい水が供給される。
【００２２】
このとき供給する水として純水を使用することができる。純水を使用することにより、例えば塩化物イオン、ナトリウムイオン、カルシウムイオン、カリウムイオン、マグネシウムイオン等の不所望なイオンの混入を防ぐことが可能となる。
【００２３】
陽極室５４では陽極電極５６により中間室５１の塩素イオンを誘因するとともに塩素ガスを発生して次亜塩素酸水を生成し、陰極室５５では陰極電極５７により中間室５１のナトリウムイオンを誘因するとともに水素ガスを発生して水酸化ナトリウム水溶液を生成する。前者は、有効塩素濃度２０〜６０ｐｐｍ、ｐＨ２〜５程度の次亜塩素酸水であり、後者はｐＨ１０〜１３程度の水酸化ナトリウム水溶液となる。水酸化ナトリウム水溶液は発生した水素ガスとともに陰極室５５から排出ライン７１を通して取り出される。排出ライン７１に気液分離ユニット７２を設けることにより、水素ガスを排出ライン７１から外部に放出することができる。
【００２４】
この次亜塩素酸水は優れた殺菌効果を有するとともに食品添加物にも認可された安全な水である。
【００２５】
また、この水酸化ナトリウム水溶液を上述した次亜塩素酸水に適宜混合することでｐＨを次亜塩素酸水のｐＨよりも中性に近づけ、かつ次亜塩素酸を含む水を生成することができる。
【００２６】
以下、実施例を示し、実施形態を具体的に説明する。
【００２７】
実施例
次亜塩素酸の失活の抑制について、以下のような試験を行った。
【００２８】
電解水の生成
まず、電解水生成装置から電解水として、酸性水とアルカリ水を生成する。
【００２９】
次亜塩素酸水サンプルの調製
上記電解水生成装置から生成された電解水から、下記２種類の酸性水と２種類のアルカリ水を用意した。
【００３０】
酸性水１  有効塩素濃度６２（ｍｇ／ｋｇ）、ｐＨ２．８
酸性水２  有効塩素濃度５３（ｍｇ／ｋｇ）、ｐＨ２．９
アルカリ水１  ナトリウムイオン濃度３１０（ｍｇ／ｋｇ）、ｐＨ１１．５
アルカリ水２  ナトリウムイオン濃度３４０（ｍｇ／ｋｇ）、ｐＨ１２．１
有効塩素濃度は、柴田科学株式会社製  有効塩素濃度測定キットＡＱ−１０２Ｐを用いて測定した。
【００３１】
ナトリウムイオン濃度は、ナトリウムイオン濃度計として、ＨＯＲＩＢＡ製  コンパクトナトリウムイオンメーターＬＡＱＵＡｔｗｉｎを用いて測定した。
【００３２】
電解水生成装置から生成した酸性水５００ｍｌにアルカリ水を添加してｐＨ調整し、下記７種類のｐＨを有する次亜塩素酸水サンプルを調製した。
【００３３】
サンプル１−１
酸性水１をそのまま使用した。
【００３４】
サンプル２−１
酸性水１  ５００ｍｌに、アルカリ水１を６０ｍｌ混合した。
【００３５】
得られた次亜塩素酸水サンプルは、有効塩素濃度５２（ｍｇ／ｋｇ）、ｐＨ３、ナトリウムイオン濃度９（ｍｇ／ｋｇ）であった。
【００３６】
サンプル３−１
酸性水２  ５００ｍｌに、アルカリ水２を８０ｍｌ混合した。
【００３７】
得られた次亜塩素酸水サンプルは、有効塩素濃度４４（ｍｇ／ｋｇ）、ｐＨ４、ナトリウムイオン濃度３０（ｍｇ／ｋｇ）であった。
【００３８】
サンプル４−１
酸性水２  ５００ｍｌに、アルカリ水２を８６ｍｌ混合した。
【００３９】
得られた次亜塩素酸水サンプルは、有効塩素濃度４３（ｍｇ／ｋｇ）、ｐＨ５、ナトリウムイオン濃度２８（ｍｇ／ｋｇ）であった。
【００４０】
サンプル５−１
酸性水２  ５００ｍｌに、アルカリ水２を８８ｍｌ混合した。
【００４１】
得られた次亜塩素酸水サンプルは、有効塩素濃度３９（ｍｇ／ｋｇ）、ｐＨ６、ナトリウムイオン濃度３１（ｍｇ／ｋｇ）であった。
【００４２】
サンプル６−１
酸性水１  ５００ｍｌに、アルカリ水１を９８ｍｌ混合した。
【００４３】
得られた次亜塩素酸水サンプルは、有効塩素濃度５０（ｍｇ／ｋｇ）、ｐＨ７、ナトリウムイオン濃度４８（ｍｇ／ｋｇ）であった。
【００４４】
得られた次亜塩素酸水サンプルについて下記表１に示す。
【表１】
2017119922.tif 000003
【００４５】
次に、サンプル１−１，２−１，３−１，４−１，５−１，及び６−１、それぞれ塩化ナトリウムを添加して、ナトリウムイオン濃度を調整した。
【００４６】
サンプル１−２，１−３，１−４の調製
ナトリウムイオン濃度計（ＨＯＲＩＢＡ製  コンパクトナトリウムイオンメーターＬＡＱＵＡｔｗｉｎ）を容器に設置し、サンプル１−１を５０ｍｌ入れた。サンプル１−１を攪拌し、ナトリウムイオン濃度を測定しながら、塩化ナトリウムの添加を行い、ナトリウムイオン濃度が３００（ｍｇ／ｋｇ）になった時点で塩化ナトリウムの添加を停止し、サンプル１−２を得た。
【００４７】
得られたサンプルについて、ｐＨ及び有効塩素濃度を測定したところ、ｐＨ２．７、有効塩素濃度５８（ｍｇ／ｋｇ）であった。
【００４８】
ナトリウムイオン濃度を５００（ｍｇ／ｋｇ）にすること以外はサンプル１−２と同様にしてサンプル１−３を得た。得られたサンプルについて、ｐＨ及び有効塩素濃度を測定したところ、ｐＨ２．７、有効塩素濃度５８（ｍｇ／ｋｇ）であった。
【００４９】
ナトリウムイオン濃度１０００（ｍｇ／ｋｇ）にすること以外はサンプル１−２と同様にしてサンプル１−４を得た。得られたサンプルについて、ｐＨ及び有効塩素濃度を測定したところ、ｐＨ２．７、有効塩素濃度５６（ｍｇ／ｋｇ）であった。
【００５０】
得られた次亜塩素酸水サンプルについて下記表２に示す。
【表２】
2017119922.tif 000004
【００５１】
サンプル２−２，２−３，２−４の調製
サンプル１−１のかわりにサンプル２−１を用いること以外はサンプル１−２と同様にして、サンプル２−２を得た。
【００５２】
得られたサンプルについて、ｐＨ及び有効塩素濃度を測定したところ、ｐＨ２．９、有効塩素濃度４８（ｍｇ／ｋｇ）であった。
【００５３】
ナトリウムイオン濃度を５００（ｍｇ／ｋｇ）にすること以外はサンプル２−２と同様にしてサンプル２−３を得た。得られたサンプルについて、ｐＨ及び有効塩素濃度を測定したところ、ｐＨ２．９、有効塩素濃度４７（ｍｇ／ｋｇ）であった。
【００５４】
ナトリウムイオン濃度を１０００（ｍｇ／ｋｇ）にすること以外はサンプル２−２と同様にしてサンプル２−４を得た。得られたサンプルについて、ｐＨ及び有効塩素濃度を測定したところ、ｐＨ２．９、有効塩素濃度４６（ｍｇ／ｋｇ）であった。
【００５５】
得られた次亜塩素酸水サンプルについて下記表３に示す。
【表３】
2017119922.tif 000005
【００５６】
サンプル３−２，３−３，３−４の調製
サンプル１−１のかわりにサンプル３−１を用いること以外はサンプル１−２と同様にして、サンプル３−２を得た。
【００５７】
得られたサンプルについて、ｐＨ及び有効塩素濃度を測定したところ、ｐＨ４．０、有効塩素濃度４４（ｍｇ／ｋｇ）であった。
【００５８】
ナトリウムイオン濃度を５００（ｍｇ／ｋｇ）にすること以外はサンプル３−２と同様にしてサンプル３−３を得た。得られたサンプルについて、ｐＨ及び有効塩素濃度を測定したところ、ｐＨ３．９、有効塩素濃度４３（ｍｇ／ｋｇ）であった。
【００５９】
ナトリウムイオン濃度を１０００（ｍｇ／ｋｇ）にすること以外はサンプル３−２と同様にしてサンプル３−４を得た。得られたサンプルについて、ｐＨ及び有効塩素濃度を測定したところ、ｐＨ３．９、有効塩素濃度４０（ｍｇ／ｋｇ）であった。
【００６０】
得られた次亜塩素酸水サンプルについて下記表４に示す。
【表４】
2017119922.tif 000006
【００６１】
サンプル４−２，４−３，４−４の調製
サンプル１−１のかわりにサンプル４−１を用いること以外はサンプル１−２と同様にして、サンプル４−２を得た。
【００６２】
得られたサンプルについて、ｐＨ及び有効塩素濃度を測定したところ、ｐＨ５．０、有効塩素濃度４３（ｍｇ／ｋｇ）であった。
【００６３】
ナトリウムイオン濃度を３００（ｍｇ／ｋｇ）にすること以外はサンプル４−２と同様にしてサンプル４−３を得た。得られたサンプルについて、ｐＨ及び有効塩素濃度を測定したところ、ｐＨ５．０、有効塩素濃度４４（ｍｇ／ｋｇ）であった。
【００６４】
ナトリウムイオン濃度を５００（ｍｇ／ｋｇ）にすること以外はサンプル４−２と同様にしてサンプル４−４を得た。得られたサンプルについて、ｐＨ及び有効塩素濃度を測定したところ、ｐＨ５．１、有効塩素濃度４３（ｍｇ／ｋｇ）であった。
【００６５】
ナトリウムイオン濃度を１０００（ｍｇ／ｋｇ）にすること以外はサンプル４−２と同様にしてサンプル４−４を得た。得られたサンプルについて、ｐＨ及び有効塩素濃度を測定したところ、ｐＨ５．０、有効塩素濃度４０（ｍｇ／ｋｇ）であった。
【００６６】
得られた次亜塩素酸水サンプルについて下記表５に示す。
【表５】
2017119922.tif 000007
【００６７】
サンプル５−２，５−３，５−４の調製
サンプル１−１のかわりにサンプル５−１を用いること以外はサンプル１−２と同様にして、サンプル５−２を得た。
【００６８】
得られたサンプルについて、ｐＨ及び有効塩素濃度を測定したところ、ｐＨ５．８、有効塩素濃度３４（ｍｇ／ｋｇ）であった。
【００６９】
ナトリウムイオン濃度を５００（ｍｇ／ｋｇ）にすること以外はサンプル５−２と同様にしてサンプル５−３を得た。得られたサンプルについて、ｐＨ及び有効塩素濃度を測定したところ、ｐＨ５．８、有効塩素濃度３４（ｍｇ／ｋｇ）のサンプル５−３を得た。
【００７０】
ナトリウムイオン濃度１０００（ｍｇ／ｋｇ）にすること以外はサンプル５−２と同様にしてサンプル５−３を得た。得られたサンプルについてｐＨ及び有効塩素濃度を測定したところ、ｐＨ５．８、有効塩素濃度２９（ｍｇ／ｋｇ）のサンプル５−４を得た。
【００７１】
得られた次亜塩素酸水サンプルについて下記表６に示す。
【表６】
2017119922.tif 000008
【００７２】
サンプル６−２，６−３，６−４の調製
サンプル１−１のかわりにサンプル６−１を用いること以外はサンプル１−２と同様にして、サンプル６−２を得た。
【００７３】
得られたサンプルについて、ｐＨ及び有効塩素濃度を測定したところ、ｐＨ６．９、有効塩素濃度５０（ｍｇ／ｋｇ）であった。
【００７４】
ナトリウムイオン濃度を５００（ｍｇ／ｋｇ）にすること以外はサンプル６−２と同様にしてサンプル６−３を得た。得られたサンプルについて、ｐＨ及び有効塩素濃度を測定したところ、ｐＨ６．９、有効塩素濃度５０（ｍｇ／ｋｇ）であった。
【００７５】
ナトリウムイオン濃度１０００（ｍｇ／ｋｇ）にすること以外はサンプル６−２と同様にしてサンプル６−４を得た。得られたサンプルについて、ｐＨ及び有効塩素濃度を測定したところ、ｐＨ６．８、有効塩素濃度４８（ｍｇ／ｋｇ）であった。
【００７６】
得られた次亜塩素酸水サンプルについて下記表７に示す。
【表７】
2017119922.tif 000009
【００７７】
次亜塩素酸失活試験
得られたサンプルの次亜塩素酸水サンプルを、それぞれ５０ｍｌずつ容器に入れ、５ｃｍ角、ポリエステル１００％、目付１６０ｇ／ｍ２の布を一枚浸漬し、暗室で３日間放置する。
【００７８】
３日間放置後、各サンプルについて有効塩素濃度を測定し、各サンプル調製時に測定した有効塩素濃度に対する維持率を下記式（１）のように算出した。
【００７９】
有効塩素濃度維持率（％）＝（３日間放置後の有効塩素濃度／調製時の有効塩素濃度）×１００…（１）
得られた結果について、ナトリウム濃度と有効塩素濃度維持率との関係を表すグラフを図２に示す。
【００８０】
図中、１０１はｐＨ２．８、１０２はｐＨ３．０、１０３はｐＨ４．０、１０４はｐＨ５．０、１０５はｐＨ６．０，及び１０６はｐＨ７．０のときの値を各々示す。
【００８１】
また、横軸の＜７０は、ナトリウムイオン濃度が７０（ｍｇ／ｋｇ）未満のときの値であることを示す。
【００８２】
図示するように、ｐＨ２．８，ｐＨ３．０，及び４．０であるとき、次亜塩素酸水中のナトリウムイオンの濃度が３００ｍｇ／ｋｇ以上で、有効塩素濃度の失活が大きく促進されることがわかる。また、ｐＨ５．０であるとき、ナトリウムイオン濃度が１０００ｍｇ／ｋｇで有効塩素濃度の失活が促進されることがわかる。ｐＨ６．０，ｐＨ７．０では、ナトリウムイオン濃度が１０００ｍｇ／ｋｇ以下で有効塩素濃度が安定であることがわかる。
【００８３】
このように有効塩素濃度の失活速度は、ナトリウムイオン濃度、次亜塩素酸水のｐＨから影響を受ける。
【００８４】
実施形態に使用される次亜塩素酸水は、ｐＨ値が３．０以上７．０以下、次亜塩素酸濃度が１ｍｇ／ｋｇ以上、及びナトリウムイオン濃度が１〜１０００ｍｇ／ｋｇである。
【００８５】
次亜塩素酸濃度が１ｍｇ／ｋｇ未満である、十分な殺菌効果が得られない。また、次亜塩素酸水として、酸性水とナトリウムイオンを含むアルカリ水との混合を行う場合、ナトリウムイオン濃度を１ｍｇ／ｋｇ未満に調製することは困難となる。一方、ナトリウムイオン濃度が１０００ｍｇ／ｋｇを超えると、有効塩素濃度の失活が促進される。
【００８６】
また、ｐＨ値が３．０未満であると、有効塩素濃度維持率が５０％未満となり、十分な次亜塩素酸濃度が得られない。ｐＨ値が７．０を超えると、次亜塩素酸が減少し、次亜塩素酸イオンが増加するため、十分な殺菌効果が得られない。このことを表すグラフ図を図３に示す。
【００８７】
図３は、次亜塩素酸水のｐＨと次亜塩素酸の存在比率と有効塩素残存率との関係を表すグラフ図である。
【００８８】
Ｃｌ２とＨＯＣｌとＨＯＣｌは、下記式（２）のように平衡関係にある。
【化１】
2017119922.tif 000010
【００８９】
図中、２０１は塩素ガス（Ｃｌ２）が存在する領域、２０２は次亜塩素酸（ＨＯＣｌ）が存在する領域、２０３は次亜塩素酸イオン（ＨＯＣｌ）が存在する領域を各々示す。
【００９０】
このグラフ図より、上述のように、ｐＨ値が７．０を超えると、次亜塩素酸が減少し、次亜塩素酸イオンが増加することがわかる。ｐＨが７．５のとき次亜塩素酸と次亜塩素酸イオンの存在比率は、１対１となる。
【００９１】
また、図４に、次亜塩素酸の失活の抑制効果とｐＨとナトリウムイオン濃度との関係を表すグラフ図を示す。
【００９２】
図４では、ひし形、□、△、及び○の記号を用いて、次亜塩素酸水サンプル１−１〜１−４，２−１〜２−４，３−１〜３−４，４−１〜４−４，５−１〜５−４，６−１〜６−４のｐＨとナトリウムイオン濃度をプロットしている。
【００９３】
図中、領域３１０，領域３２０，及び領域３３０は、有効塩素濃度を５０％以上に維持することが可能な領域を示す。
【００９４】
領域３２０，及び領域３３０は、有効塩素濃度を７０％以上に維持することが可能な領域を示す。
【００９５】
さらに、領域３３０は、有効塩素濃度を８０％以上に維持することが可能な領域を示す。
【００９６】
領域３０１に示すように、ｐＨ値が３．０以上４．０未満のとき、ナトリウムイオン濃度が１ｍｇ／ｋｇ以上３０ｍｇ／ｋｇ以下であると、有効塩素濃度を５０％以上に維持することが可能となる。
【００９７】
領域３０２及び領域３０４に示すように、ｐＨ値が４．０以上５．０未満のとき、ナトリウムイオン濃度が１ｍｇ／ｋｇ以上３００ｍｇ／ｋｇ以下であると、有効塩素濃度を５０％以上に維持することが可能となる。
【００９８】
領域３０３，領域３０５，領域３０６、及び領域３０７に示すように、ｐＨ値が５．０以上７．０以下のとき、ナトリウムイオン濃度が１ｍｇ／ｋｇ以上１０００ｍｇ／ｋｇ以下であると、有効塩素濃度を５０％以上に維持することが可能となる。
【００９９】
領域３０４に示すように、さらに、ｐＨ値が４．０以上５．０未満のとき、ナトリウムイオン濃度が１ｍｇ／ｋｇ以上３０ｍｇ／ｋｇ以下であると、有効塩素濃度を７０％以上に維持することが可能となる。
【０１００】
領域３０５，３０６に示すように、ｐＨ値が５．０以上６．０未満のとき、ナトリウムイオン濃度が１ｍｇ／ｋｇ以上５００ｍｇ／ｋｇ以下であると、有効塩素濃度を７０％以上に維持することが可能となる。
【０１０１】
領域３０７に示すように、ｐＨ値が６．０以上７．０以下のとき、ナトリウムイオン濃度が１ｍｇ／ｋｇ以上１０００ｍｇ／ｋｇ以下であるであると、有効塩素濃度を７０％以上に維持することが可能となる。
【０１０２】
領域３０６に示すように、ｐＨ値が５．０以上６．０未満のとき、ナトリウムイオン濃度が１ｍｇ／ｋｇ以上３０ｍｇ／ｋｇ以下であると、有効塩素濃度を８０％以上に維持することが可能となる。
【０１０３】
領域３０７に示すように、ｐＨ値が６．０以上７．０以下のとき、ナトリウムイオン濃度が１ｍｇ／ｋｇ以上１０００ｍｇ／ｋｇ以下であると、有効塩素濃度を８０％以上に維持することが可能となる。
【０１０４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０５】
５０…電解水生成装置、５１…中間室、５２，５３…イオン交換膜、５４…陽極室、５５…陰極室、５６…陽極電極、５７…陰極電極、５８…三室型電解槽、６１…飽和食塩水貯留器、６２…塩水循環ポンプ、６３…給水システム
【図１】
2017119922.tif 000011
【図２】
2017119922.tif 000012
【図３】
2017119922.tif 000013
【図４】
2017119922.tif 000014